(57)【特許請求の範囲】
【請求項１】
一端が開放された筒状部を備え、該筒状部内に固定されたシリンダ錠への操作によりステアリングカラムに進退するロック体を収容したフレームと、
一端が筒状部の開放端に開放されて切欠状に形成される装着孔に装着される装着部品とを有し、
前記装着孔の両側縁には、フレーム内部において筒状部に挿入される挿入部品の係止部に周方向に係止して装着孔の拡幅方向への変形を規制する被係止部が設けられるステアリングロック装置。
【請求項２】
前記装着部品は、挿入部品に形成される係止溝に係止突部を係止させてフレーム径方向への脱離が規制される請求項１記載のステアリングロック装置。
【請求項３】
前記係止部がシリンダ錠のケースに一体形成される請求項１記載のステアリングロック装置。
【請求項４】
一端が前方に開放された筒状部を備えたフレームと、
前記筒状部の前方開放端から挿入されてフレームに固定されたシリンダ錠への操作によりステアリングカラムに進退するロック体と、
筒状部の前方開放端に開放される切欠状に形成される装着孔に前方開放端から挿入され、シリンダ錠への解錠キーの挿入状態を検出するキー検出スイッチとを有し、
前記シリンダ錠のケースには、筒状部への挿入時に装着孔の両側縁に突設される被係止部に係止して装着孔の拡幅を規制する係止部が設けられるステアリングロック装置。
【発明の詳細な説明】
【技術分野】
【０００１】
本発明は、ステアリングロック装置に関するものである。
【背景技術】
【０００２】
シリンダ錠、およびロック体を収容するフレームにスイッチ等の装着部品を固定したステアリングロック装置としては、特許文献１に記載のものが知られている。【０００３】
この従来例において、ステアリングロック装置のフレームには、図１５に示すように、前端方向への開放端から切り欠かれた開口部（装着孔）が開設され、該装着孔にキー検知スイッチが装着される。
【先行技術文献】
【特許文献】
【０００４】
【特許文献１】特開平１０-６１２８５号公報
【発明の概要】
【発明が解決しようとする課題】
【０００５】
しかし、上述した従来例において、装着孔は一端が開放された切欠状に形成されるために、装着孔の側縁に拡幅方向の力が加えられた場合、装着孔が開いて内部のシリンダ錠への不正にアクセスされる虞がある。【０００６】
本発明は、以上の欠点を解消すべくなされたものであって、切欠状に形成された装着孔の変形によるシリンダ錠への不正アクセスを抑制することのできるステアリングロック装置の提供を目的とする。
【課題を解決するための手段】
【０００７】
本発明によれば、上記目的は、
一端が開放された筒状部１を備え、該筒状部１内に固定されたシリンダ錠２への操作によりステアリングカラムに進退するロック体３を収容したフレーム４と、
一端が筒状部１の開放端に開放されて切欠状に形成される装着孔５に装着される装着部品６とを有し、
前記装着孔５の両側縁には、フレーム４内部において筒状部１に挿入される挿入部品７の係止部８に周方向に係止して装着孔５の拡幅方向への変形を規制する被係止部９が設けられるステアリングロック装置を提供することにより達成される。【０００８】
本発明において、装着部品６を装着するための装着孔５の両側縁は挿入部品７の係止部８に係止されることにより実質的に連結状態となり、片持状態が解消される。この結果、装着孔５の両側縁間を広げようとする外力に対する抗力が大きくなり、当該装着孔５を変形させて内部のシリンダ錠２への不正アクセスを抑制することが可能になる。【０００９】
また、係止部８と被係止部９とはフレーム４内部で係止されているために、係止箇所へのアクセスも効果的に抑制することが可能になる。【００１０】
さらに、ステアリングロック装置の装着部品６は、
挿入部品７に形成される係止溝１０に係止突部１１を係止させてフレーム４径方向への脱離が規制されるように構成することができる。【００１１】
装着部品６は別途適宜の固定手段により固定してフレーム４の径方向への離脱を規制することが可能であるが、本発明によれば、装着部品６は、予め挿入部品７の係止溝１０に係止突部１１を係止させた状態でサブアッセンブルしておき、このサブアセンブリ体を筒状部１に挿入するだけで装着作業が完了するために、組立効率が向上する。【００１２】
また、係止突部１１を挿入部品７の係止溝１０に係止させることにより、係止突部１１は、挿入部品７とフレーム４に覆われる状態となるために、係止突部１１への攻撃による不正な破壊行為を抑制することが可能になる。【００１３】
さらに、ステアリングロック装置は、
前記係止部８がシリンダ錠２のケース１２に一体形成されるように構成することができる。【００１４】
挿入部品７には、例えば、筒状部１の前方開口端を閉塞するキャップ部材等を使用することが可能であるが、シリンダ錠２のケース１２に係止部８を一体形成することにより該シリンダ錠２のケース１２を挿入部品７として構成することにより全体の構成を簡単にすることができる。【００１５】
また、ステアリングロック装置は、
一端が前方に開放された筒状部１を備えたフレーム４と、
前記筒状部１の前方開放端から挿入されてフレーム４に固定されたシリンダ錠２への操作によりステアリングカラムに進退するロック体３と、
筒状部１の前方開放端に開放される切欠状に形成される装着孔５に前方開放端から挿入され、シリンダ錠２への解錠キーの挿入状態を検出するキー検出スイッチとを有し、
前記シリンダ錠２のケース１２には、筒状部１への挿入時に装着孔５の両側縁に突設される被係止部９に係止して装着孔５の拡幅を規制する係止部８を設けて構成することができる。
【発明の効果】
【００１６】
本発明によれば、切欠状に形成された装着孔の両側縁を挿入部材を使用して連結するために、装着孔を拡幅させる変形に耐性が向上するために、装着孔の変形によるシリンダ錠への不正アクセスを抑制することができる。
【図面の簡単な説明】
【００１７】
【図１】本発明を示す断面図である。
【図２】図１の分解斜視図である。
【図３】装着部品の取付状態を示す図で、（ａ）は側面図、（ｂ）は（ａ）の３Ｂ方向矢視図、（ｃ）は組み付け状態の断面図である。
【発明を実施するための形態】
【００１８】
図１以下に示すように、ステアリングロック装置は、フレーム４内に収容されるシリンダ錠２と、フレーム４に固定され、シリンダ錠２への操作によりスイッチ動作するイグニッションスイッチ１３とを有し、フィクサ部品１４を使用して図外のステアリングカラムに固定される。
【００１９】
シリンダ錠２はケース１２内にプラグ２ａを挿入して形成され、プラグ２ａに真正な解錠キー（図示せず）を挿入することによりケース１２内で回転させることができる。このシリンダ錠２は、フレーム４の前端に開放される筒状部１内に挿入されて装着され、シリンダ錠２のケース１２前端には、筒状部１の外径にほぼ一致する外径を有して筒状部１内に挿入した状態で筒状部１の前方開放端を閉塞するキャップ部１２ａが形成される。キャップ部１２ａには、図示しないが、”ＬＯＣＫ”、”ＯＮ”、”ＡＣＣ”、”ＳＴＡＲＴ”等のキーポジションマークが表示される。
【００２０】
上記シリンダ錠２のプラグ２ａには後端がイグニッションスイッチ１３の回転端子（図示せず）に連結されるローテータ１５が回転方向に連結されており、プラグ２ａを所定のキーポジションまで回転操作することによりイグニッションスイッチ１３を操作することができる。
【００２１】
また、上記ローテータ１５の中間部には、カム部１５ｂが形成されており、該カム部１５ｂにフォロワ部３ａを圧接させるようにしてロック体３が配置される。ロック体３は、ローテータ１５、すなわちプラグ２ａの回転中心に対して直交する方向にスライド自在であり、圧縮スプリング１６によりフォロワ部３ａがカム部１５ｂに圧接する方向に付勢される。
【００２２】
したがってこの実施の形態において、プラグ２ａが”ＬＯＣＫ”位置にあるとき、図１に示すように、ロック体３のロック部３ｂはフレーム４から突出してステアリングカラム内の図示しないステアリングシャフトに係止してステアリングシャフトへの回転操作を規制する。
【００２３】
この状態からプラグ２ａを真正な解錠キーを使用して”ＯＮ”方向に回転操作すると、ロック部３ｂはフレーム４内に引き込まれてステアリングシャフトとの係止が解除される。
【００２４】
さらに、上記フレーム４にはキー検出スイッチ（装着部品６）が装着される。図１に示すように、キー検出スイッチ６は、ハウジング６ａから適宜の付勢力により突出する可動突部６ｂを有しており、可動突部６ｂの突出、没入状態をハウジング６ａ内に収容される図外の接点の断接から検出することができる。
【００２５】
このキー検出スイッチ６を装着するために、フレーム４にはフレーム４表層からフレーム４内に貫通する装着孔５が開設されており、装着孔５に装着された状態で可動突部６ｂはプラグ２ａに当接する。プラグ２ａの可動突部６ｂ摺接領域には、プラグ２ａが”ＬＯＣＫ”位置にあるときに可動突部６ｂ対応するスライダ収容孔２ｂが開設され、スライダピース１７が径方向に移動自在に装着される。
【００２６】
図１に示すように、プラグ２ａが”ＬＯＣＫ”位置にあり、かつ、プラグ２ａのキー挿入溝２ｃに解錠キーが挿入されていない状態でキー検出スイッチ６の可動突部６ｂはハウジング６ａから突出しており、この状態から解錠キーが挿入されると可動突部６ｂは解錠キーによりプラグ２ａ外周方向に押し出される結果、キー検出スイッチ６は解錠キーの挿入状態を検出し、例えば、この状態で運転者が車両を離れようとすると、キー忘れ状態であることを知らせるワーニング信号が出力される。
【００２７】
図２、３に示すように、上記キー検出スイッチ６を装着するための装着孔５は、一端が筒状部１の開放端側に開放された切欠形状に形成されており、キー検出スイッチ６は、上記開放端側から装着孔５に挿入するようにして装着することができる。
【００２８】
また、上記装着孔５の両側縁には、中心方向に突出する被係止部９が突設されるとともに、筒状部１の開放端から挿入されるシリンダ錠２のケース１２に係止部８が設けられる。被係止部９は、シリンダ錠２の挿入に伴って挿入部品７として機能するケース１２の係止部８に係止されて周方向への移動が規制され、装着孔５の両側縁が外側に引き離されて拡幅する変形に対する抗力が向上する。
【００２９】
さらに、上記キー検出スイッチ６のハウジング６ａは両側縁下端に係止突部１１を有するとともに、シリンダ錠２のケース１２には、該係止突部１１が係止可能な係止溝１０が形成されており、キー検出スイッチ６は、係止突部１１を係止溝１０にスライドさせることによりケース１２の適宜位置に保持される。
【００３０】
したがってこの実施の形態において、キー検出スイッチ６の組み付けは、まず、キー検出スイッチ６をシリンダ錠２に保持した状態でサブアッセンブルした後、このサブアセンブリ体をフレーム４の筒状部１に挿入して行われる。サブアセンブリ体を筒状部１に挿入してフレーム４に固定した状態でキー検出スイッチ６は、係止突部１１の係止溝１０への係止により径方向への移動が規制されるとともに、シリンダ錠２のキャップ部１２ａにより前方への移動が規制され、ビス等の固定手段を使用することなく所定位置に保持される。
【００３１】
また、上述したように、シリンダ錠２を固定した状態で係止溝１０の被係止部９間が係止部８を介して連結された状態となるために、係止部９に対する補強が行われ装着孔５の拡幅方向への変形を防止し、不正なアクセスを抑制することができる。
【符号の説明】
【００３２】
１        筒状部
２        シリンダ錠
３        ロック体
４        フレーム
５        装着孔
６        装着部品
７        挿入部品
８        係止部
９        被係止部
１０      係止溝
１１      係止突部
１２      ケース 
【図１】
0005986680.tif 000002
【図２】
0005986680.tif 000003
【図３】
0005986680.tif 000004